(57)【要約】      （修正有）【課題】バッターにスウィング中にボトムハンドの有鉤骨に損傷を与えないシンプルなバットグリップ構造を提供する。【解決手段】バットヘッドと、バット胴部と、バットスロート部と、バットグリップ部と、グリップエンドを備える野球バットにおいて、グリップエンドが、バット長手方向に延びる中心軸線に直交する面に対し２０〜３０度に傾斜する端面を有し、グリップエンド端面に平行して形成されるノブが、少なくともプレーヤーのボトムハンドの小指の先端から第２間接部に至る部分におけるバットグリップ部との境界においてグリップ部断面より大きな断面積を形成するように立ち上がり、ボトムハンドの小指側が当接する。一方、バット長手方向に延びる中心軸線に対して小指先端側とは点対称な小指第３間接部下方の掌部分の断面はバットグリップ部からグリップエンドにほぼ面一で、掌部分に当接するノブを実質的に有しない。【選択図】図５
0003228402.tif 000002
【実用新案登録請求の範囲】
【請求項１】
バットヘッドHと、バット胴部Bと、バットスロート部Tと、バットグリップ部Bと、グリップエンドEを備える野球バットにおいて、グリップエンドEが、バット長手方向に延びる中心軸線に直交する面に対し２０〜３０度に傾斜する端面を有し、グリップエンドE端面に平行して形成されるノブが、図５に例示するように、少なくともプレーヤーのボトムハンドの小指の先端から第２間接部に至る部分においてバットグリップ部Bとの境界においてグリップ部断面より大きな断面積を形成するように立ち上がり、ボトムハンドの小指側が当接する一方、バット長手方向に延びる中心軸線に対して小指先端側とは点対称な小指第３間接部下方の掌部分においてその断面はバットグリップ部BからグリップエンドEにほぼ面一で、前記掌部分に当接するノブを実質的に有しないことを特徴とするバットグリップ構造。
【請求項２】
前記グリップエンドEの端面に平行して形成される膨出ノブが図６に例示されるように、プレーヤーのボトムハンドの小指の先端から第２間接部に至る部分及び小指第２間接部から第３間接部においてグリップ部Bとの境界においてグリップ部断面より大きな断面積を有するように立ち上がり、小指の先端から第２間接部に至る部分及び小指第２間接部から第３間接部が当接する一方、バット長手方向に延びる中心軸線に対して小指先端側とは点対称な小指第３間接部下方の掌部分においてバットグリップ部BからグリップエンドEにほぼ面一で、前記掌部分に当接する段部を実質的に有しない請求項１記載のバットグリップ構造。
【請求項３】
バットグリップ部Bにバット長手方向に延びる中心軸線に直交する断面が非円形縦長楕円形から円形に移行する請求項１または２記載のバットグリップ構造。
【考案の詳細な説明】
【技術分野】
【０００１】
本考案は、バッターに有鉤骨損傷を与えないバットグリップ構造に関する。
【背景技術】
【０００２】
バットはバットヘッドHと、バット胴部Bと、バットスロート部Tと、バットグリップ部Bと、グリップエンドEを備え、グリップエンドにはスイング時のグリップハンドの抜けのないように、バット中心軸線の半径方向に円環状に膨出するノブが形成されている。しかしながら、強打者の場合、バットを長めに持つと、ボトムハンドの掌にグリップエンドのノブが当接する。他方、バットスイングは初動のダウンスイングで一早く、ベース上の打球路にできるだけ長くいるためにレベルスイングに移り、打撃後グリップエンドのノブでグリップからの抜け止めを図り、フォロースルーすることになる。しかし、この時、ボトムハンドの掌に当接するノブがボトムハンドの有鉤骨を損傷しやすい（図１５参照）。
図１６に示すように、インパクト時にボールによってバットのヘッドが押し出された際、左写真の手関節の状態だと、手指のグリップ力によって十分に対抗できるが、右写真のように、手関節掌屈位では、特にアウトコースのボールを打ちにいった場合にバットのヘッドが下方に力を受けてしまい、テコの作用により有鈎骨に強い圧が加わり骨折を誘発する。
【０００３】
そこで、ボトムハンドの有鉤骨に損傷を与えないバットグリップの提供が望まれる。そこで、Giant特許（特許文献１）においては実質円形断面のグリップ部とノブ状のグリップエンドとの間に傾斜角度を持たせ、グリップエンドの下縁にボトムグリップの短掌筋及び小指外転筋を支持する緩やかに湾曲する支持面を形成し、スウィング時の有鉤骨損傷を防止するグリップ構造が提案される一方、Bruse特許（特許文献２）では非円形断面のグリップ部の上部に非対称なフレアー形状部をグリップ部に形成することにより、バットの中心軸線から上下への距離が非対称ですることによりスウィング時の有鉤骨損傷を防止するグリップ構造が提案されている。
【先行技術文献】
【特許文献】
【０００４】
【特許文献１】米国特許第７７４４４９７号明細書
【特許文献２】米国特許第７８７８９３０号明細書
【考案の概要】
【考案が解決しようとする課題】
【０００５】
しかしながら、両者はグリップ構造が複雑で、製造が難しいという問題がある。
そこで、本考案はシンプルなグリップ構造により、有鈎骨等の損傷がなく、しかもバットスウィング安定性に優れるバットグリップ構造を提供しようとするものである。
【課題を解決するための手段】
【０００６】
本考案者は鋭意研究の結果、グリップエンドEを、バット長手方向に延びる中心軸線に直交する面に対し２０〜３０度に傾斜する端面とすると同時に、グリップエンドE端面に平行して形成されるノブが、図５に例示するように、少なくともボトムハンドの小指の先端から第２間接部に至る部分においてバットグリップ部Bとの境界においてグリップ部断面より大きな断面積を形成するように立ち上がり、ボトムハンドの小指側が当接する（片面お多福形状）一方、バット長手方向に延びる中心軸線に対して小指先端側とは点対称な小指第３間接部下方の掌部分においてバットグリップ部BからグリップエンドEにほぼ面一で変化せず、前記掌部分に当接するノブを実質的に有しないシンプルなバットグリップ構造とすることにより上記課題を達成できることを見出した。
本考案の特殊ノブ構造は、グリップエンドEの端面に平行して形成される膨出ノブが図６に例示されるように、ボトムハンドの小指の先端から第２間接部に至る部分及び小指第２間接部から第３間接部においてグリップ部Bとの境界においてグリップ部断面より大きな断面積を有するように立ち上がり、当接部を有する形状（両面お多福形状）とにしてもよい。グリップ構造は断面円形に特定されないが、バットグリップ部Bにバット長手方向に延びる中心軸線に直交する断面が非円形縦長楕円形から円形に移行するバットグリップであるのが好ましい。
【考案の効果】
【０００７】
本考案においては、Giant特許（特許文献１）のように、掌を湾曲した支持面がなくてもバット長手方向に延びる中心軸線に対して小指先端側とは点対称な小指第３間接部下方の掌部分においてバットグリップ部BからグリップエンドEにほぼ直線的に変化し、前記掌部分に当接するノブを実質的に有しないシンプルなバットグリップ構造であっても、ボトムハンドのグリップ部を非円形断面とするとともに、このボトムハンドをロック機構によってスウィング時のパームグリップを維持させ、図１５に示すように掌に当接するノブを形成しないので有鉤骨を損傷することがない。他方、Bruse特許（特許文献２）のように、バットの中心軸線から上下への距離が非対称とし、非円形断面のグリップ部の上部に非対称なフレアー形状部をグリップ部に形成することなく、小指先端側とは点対称な小指第３間接部下方の掌部分においてバットグリップ部BからグリップエンドEにほぼ直線的に変化する、シンプルなバットグリップ構造により、スウィング時のスリップアウトもなく、有鉤骨損傷を防止することができる。
【図面の簡単な説明】
【０００８】
【図１】本発明に係るバットのグリップ構造の斜視図。
【図２】図１のグリップ部の把持状態を示す斜視図。
【図３Ａ】トップにおける3つの直角がある基本形を斜め後ろから示す図。
【図３Ｂ】トップにおける3つの直角がある基本形を後ろから示す図。
【図４】図３の状態からバットと肩先との距離、ボトムハンドとバットとの直角の関係が変わらずにバットが引き出されることを示す連続説明図。
【図５】本発明のグリップ構造の第１変形例である。
【図６】本発明のグリップ構造の第２変形例である。
【図７】本発明のグリップ構造の第３変形例で、（A)はバット全体を示し、グリップエンドにはロック機構が形成され、グリップ部の下4分の３は非円形断面を形成し、パー ムグリップ用のグリップをなし、そこからスロープ部に向かっては縦長楕円形が断面円形に変形している状態を示す。（B)はその長手方向断面図である。
【図８】図７に示すバットのグリップ部分の拡大図（a)で、(b)はその端面図で、（ ｃ）は（a)のA-A線、B-B線、C−C線、D-D線断面図である。
【図９】本発明の第３変形例のグリップ部のボトムハンドとトップハンドでのグリップ状態を示す斜視図で、ボトムハンドはパームグリップとなるが、トップハンドは親指と人差し指を除いてパームグリップとなり、ダウンスウィングおよび女子ソフトボール向きの力強いグリップを実現させる。
【図１０】本発明の第３変形例のグリップのみの斜視図で、グリップエンドは下端部は外形にほぼ一致し、そこからバット軸線に対し直角を成す垂線に対し２０、２５及び３０度傾斜し、上端及び左右両端はグリップエンドがグリップ部外周よりやや膨出している状態を示す。これによりグリップ上端はボトムハンドのロック構造を形成し、グリップエンドの左右両端はボトムハンドのロック維持構造を形成する。
【図１１】従来のバット機能説明図。
【図１２】本発明に係るバット構造の斜視図（Ａ)、長手方向断面図（Ｂ）である。
【図１３Ａ】グリップ部の把持状態を示す斜視図である。
【図１３Ｂ】図１３ＡのＢ−Ｂ線断面図。
【図１３Ｃ】図１３Ａのグリップによる右打者の内角（１）、真ん中（２）、外角（３）のインパクト時の身体角度と左手グリップの状態を示す。
【図１４】本発明でのバットヘッドの付加重量による重心移動を示す説明図。
【図１５】従来の垂直ノブが手の掌をスウィング中に圧迫し、有鉤骨を損傷する説明図を示す。
【図１６】高校野球での打撃障害の説明図である。
【考案を実施するための形態】
【０００９】
〔好ましい実施形態１〕
以下、添付図面に基づいて説明する。
図１はバット全体の側面図で、バットヘッドＨと、バット胴部Ｂと、バットスロート部Ｔと、バットグリップ部Ｇと、グリップエンドＥとからなる。バット全体は木製で、バットヘッドの端面は円形であるが、グリップエンド端面は楕円形又は卵形の非円形断面をなし、グリップ中心を過ぎ、スロート部に至って真円に徐々に変化するように形成される。
【００１０】
バットヘッドＨへは所定の重量Ｍが付加されると、これによりバット胴部Ｂにあるバット重心Ｃは原位置からバット打撃中心Ｐ方向にaだけ移動するので、重心に付与される運
動エネルギーＦは増加することになる。
【００１１】
他方、胴部Ｂはスロート部Ｔを介してグリップ部Ｇに至り、グリップエンドＥにかけて断面非円形の、例えば楕円形で、長手方向に延びる中心軸線に対して外側のグリップ表面には湾曲角度αが形成される。この非円形断面のロック部Rは右打者の左手グリップ（ボ
トムハンド）を小指側から親指側にコックさせる結果、図２矢印のように左手手首を右回りに押圧してロックし、ボトムハンドの前腕とバットとの直角関係を維持し、バットスウィング時の左手甲の返りを抑制するとともに、インパクト時の左手肘の屈曲を抑制する。しかも、ボトムハンドの手のひらで包み込まれグリップ半周部がバットの長手方向に延び
る軸に対し直交する断面楕円形の一方の第１断面半楕円形である一方、トップハンドの手のひらで包み込まれるグリップ半周部断面が楕円形から円形に移行すると、ボトムハンドの手のひらで包み込まれるグリップ部の半周部でグリップ摩擦係数を増大させる。他方、グリップ中心からスロート部に至るグリップ部の上部領域において、上記ボトムハンドの指の第二関節と指の付け根の間にトップハンドの指の第二関節がくるようにその領域の摩擦係数を増大すれば、トップハンドでバットグリップ部をフィンガーグリップで握り（図１３Ａ参照）、ボトムハンドの手の甲とトップハンドの手の甲とが平行になるようにを誘導する。これがバッティング時テイクバックの「トップ」において、二つ目のボトムハンドの前腕とトップハンドの前腕との直角関係を肩から腕、バットにかけてのラインを球に向かうスウィングプレーンに一致させるため、バットグリップは、両腕の間、各両腕とバットとの間に３つの直角の関係を作り、その３つの直角の関係によってボトムハンドのラインに沿って、「内からバットを出す」スウィングを実現するものである。
【００１２】
ここで、３つの直角とは、一つ目はボトムハンドの前腕とバットとの直角であり（図３Ａ）、二つ目はボトムハンドの前腕とトップハンドの前腕との直角であって（図３Ａ）、三つ目はトップハンドの前腕とバットとの直角である（図３Ｂ）。特に、トップの時点でのボトムハンドの前腕とバットの角度がほぼ直角というのはスウィングにおいて非常に重要な意味があり、図４ＡからＤに示すようにバットはトップハンドの肩先（肩峰）に近いところから肩峰との距離が一切変わらずに、そのほぼ直角のグリップが保たれたまま、ほとんど状態の回転動作だけで引き出されることになるからである。これにより「バットを内から出す」ということが実現される。これに対し、「トップ」においてボトムハンドとバットとの角度が鈍角になると、すなわち「トップ」でボトムハンドの前腕とバットとが鈍角であれば、振り出しからインパクトまでのスウィング時間は短時間となっても最初からヘッドが捕手側に開いているので、インパクトまでの加速距離が充分にとれず、インパクト時のヘッドスピードが上がらなくなり、しかもヘッドが最初から開いているため、外角球ではヘッドが早く返り、引っ掛けスウィングの原因となる。したがって、トップの時点でのボトムハンドの前腕とバットの角度がほぼ直角という関係を維持するために、まず、ボトムハンドはパームグリップでグリップ下方領域を握ることが重要であることがわかる。
【００１３】
次に、ボトムハンドの前腕とトップハンドの前腕との直角はバッティング動作での上体の回転と連動する両腕の動きを支配するもので、両腕は腕で動くのでなく、肩甲骨の動きによる上体の回転動作で動くものである。したがって、前腕どうしが終始直角に交わって動くと、ボトムハンドのラインに沿って、肩峰のところから肩峰との近い距離を変えない状態の回転動作でバットを引き出すスウィング始動時の上半身の動きとなり（図４ＢおよびＣ）、「内からバットを出す」動作を作り出す。このボトムハンドの前腕とトップハンドの前腕との直角はボトムハンドにパームグリップを実現させた上で、ボトムハンドの指の第二関節と指の付け根の間にトップハンドの指の第二関節がくるようにトップハンドでバットグリップ部をフィンガーグリップで握ると、ボトムハンドの手の甲とトップハンドの手の甲とが平行になり、ボトムハンドの肩から腕、バットにかけてのラインを球に向かうスウィングプレーンに一致させる、「内からバットを出す」動作を作り出すことになる。
【００１４】
上記バットのグリップ構造は、グリップエンドからグリップ中心に向けて楕円形から円形に徐々に変形するようになっており、楕円形の場合、上部周縁はフレアー傾斜部を形成しているが、グリップエンドの上部周縁から下部にかけては平坦となっているため、ボトムハンドの小指側及び掌側はエンドが盛り上がっていないので滑りやすい。そこで、第１変形例ではグリップエンドの中腹部に小指に沿う湾曲部を膨出させ、又はグリップエンドの中腹部からグリップに向けてフレアー傾斜部を形成することによりロック機構を拡大し、ボトムハンドの手のひらはグリップエンドから抜け落ちにくくなる。図５はこのグリッ
プ構造を示す。図５Aはグリップエンド端面図で、ボトムハンド側半周の上部周縁から中
腹部周縁はグリップエンドからグリップ部に向けて膨出して湾曲し、ロック構造部が形成されている。その状態は図５Bの側面図と、図５CのA-A線断面図からグリップ中心のD-D線断面図に示される。すなわち、図５CのA-A線断面図ではグリップエンドに近い状態を示し、次のB-B線断面図との比較から明らかにボトムハンド側半周（断面図右半周）に示されるようにボトムハンドの第２関節部がかかる上部周縁に第１の湾曲部が形成され、手首を右回りにややコックさせてロックする。上部周縁から中腹部周縁はエンドからグリップに向けてフレアー状傾斜部が形成され、ボトムハンドの手の甲は小指側から親指側に右回りにやや持ち上げてロックしている。これによって、ボトムハンドの小指側はグリップエンドから抜け落ちずしっかりとパワーグリップでグリップでき、ボトムハンドの前腕はバットの軸線に対し直角に維持されることになる。
【００１５】
図６は図５に示す変形例の改良であって、パワーグリップされたボトムハンドの掌側のグリップエンドからの抜け又は外れを防止し、しっかりとボトムハンドのパワーグリップを維持することを目的とする。すなわち、第２変形例ではグリップエンド近傍には上部だけでなく、中腹部周縁に掌端に沿う湾曲部を膨出させるか、又はグリップ中心に向けてフレアー傾斜部を形成することによりボトムハンドの手のひら端はグリップエンドから抜け落ちにくくなるだけでなく、小指側のグリップエンドからの抜けを防止する。更にグリップ力を向上させるようになる。図６はこのグリップ構造を示す。図６Aはグリップエンド
端面図で、ボトムハンド側半周の上部周縁から中腹部周縁はエンドからグリップに向けて湾曲してロック構造部が形成されている。その状態は図６Bの側面図と、図６のA-A線断面図からグリップ中心のD-D線断面図に示される。すなわち、図６CのA-A線断面図ではグリップエンドに近い状態を示し、次のB-B線断面図との比較から明らかにボトムハンド側半周（断面図右半周）に示されるようにボトムハンドの第２関節部がかかる上部周縁に第１の湾曲した傾斜によりロック構造部が形成され、手首を右回りにややコックさせてロックする。上部周縁から小指第３関節下方の掌端の中腹部周縁はグリップエンドからグリップに向けて傾斜部が形成され、ボトムハンドの手の甲は小指側から親指側に右回りにやや持ち上げてロックしている。これによって、ボトムハンドの掌側はグリップエンドから抜け落ちずしっかりとパワーグリップでグリップでき、ボトムハンドの前腕はバットの軸線に対し直角に維持されることになる。
【００１６】
以上、図３Ａ、Ｂと図４Ａ〜Ｄとで説明したところから理解できるように、ボトムグリップにパームグリップでトップの時点でのボトムハンドの前腕とバットの角度がほぼ直角になるように握らせることが第１に必要な課題で、第２にボトムハンドの前腕とトップハンドの前腕とが直角になるようにボトムハンドのパームグリップに対し指の第二関節と指の付け根の間にトップハンドの指の第二関節がくるようにトップハンドでバットグリップ部をフィンガーグリップで握ることが重要であることがわかる。本考案の一つはこのようなグリップを実現させるグリップ構造を提供するもので、第１はボトムグリップのパームグリップを実現する摩擦係数を増大する領域部であり、第２にボトムグリップとバットとを直角の関係でロックして握らせるグリップ構造である。
【００１７】
図７ないし図９で示すグリップ構造は、バットグリップにおいて、少なくともグリップエンドからグリップ中心に至るボトムグリップがバット軸線に対し直交する断面が非円形をなすとともに、トップグリップのグリップ中心からバット上方に少なくとも中指から小指に至る３本指でのグリップ部分をバット軸線に対し直交する断面が非円形をなし、そこからスロート部に移行する領域は楕円形断面からスロート部の円形断面に移行する傾斜領域を有する。これはボトムハンドにパームグリップを、他方、トップハンドの中指から小指にかけて握らせ、制御可能なパームグリップを行わせるバットグリップ構造にある。ボトムハンド及びトップハンドをパームグリップで握ることにより、ダウンスウィングが実現しやすく、女子のソフトボールに適するグリップを実現することができる。
【００１８】
この実施例におけるロック構造はグリップエンドの上端が指腹に沿うように湾曲してロック構造を形成し、そのグリップエンドの上端から左右両端が、ボトムハンドの小指先端がグリップエンドにかかるようにグリップエンドの小指先端側をやや膨出させるか、ボトムハンドの小指先端及び小指下方の掌端がグリップエンドにかかるようにグリップエンドの小指先端側及び小指下方の掌周端をやや膨出させる。そのため、グリップエンドは方形をなし、各隅部はグリップエンドから内方にフレアー状に傾斜し、ボトムハンドの第２関節を中心に、小指先端側、掌端側がグリップエンドから外れないように補強される。なお、グリップエンドの下端はバットの外形に沿って流れ、膨出させる必要はないが、エンドグリップは垂直線に対し、２０度、２５度、３０度と角度を持たせることにより（図１０）、グリップのロック強度を向上させることができる。
【００１９】
そして、また、ボトムハンドの手のひらで包み込まれるボトムグリップ部の半周部の少なくとも中央部およびその近傍にグリップの摩擦係数を増大させる領域部を形成し、ボトムハンドにパームグリップでグリップ下方領域（ボトム）を握らせ易くする。トップハンドについて中指、薬指及び小指に相当する手のひらで包み込まれるアッパーグリップの半周部の少なくとも中央部およびその近傍にグリップの摩擦係数を増大させる領域部を形成し、トップハンドにもパームグリップでグリップ上方領域（ボトム）を握らせ易くする。
【００２０】
〔好ましい実施形態２〕
以下、添付図面に基づいて説明する。
図１１はバット全体の側面図で、バットヘッドＨと、バット胴部Ｂと、バットスロート部Ｔと、バットグリップ部Ｇと、グリップエンドＥとからなる。バット全体は木製で、バットヘッドＨには標準重量のヘッドに付加重量が１０〜１００ｇの範囲で変化するおよそ10種類の調節重しのキャップ型ヘッドＭが取り付けられる。バットヘッドの端面は円形であるが、グリップエンド端面は楕円形又は卵形の非円形断面をなす。
【００２１】
バットヘッドＨへは所定の重量Ｍが付加される。これによりバット胴部Ｂにあるバット重心Ｃは原位置からバット打撃中心Ｐ方向にaだけ移動する（図１４参照）。これに対して
打撃中心Ｐはほとんど動かないので、重心Ｃから打撃中心寄りに位置するスイートスポットもほどんど動かない。よって、重心Ｃに付与される運動エネルギーＦはＩ（慣性モーメント）が重心移動の分だけ握りの中心Ｑからの距離aだけ増えるので、角速度ωが変わら
ないとしても、運動エネルギーはa×ω分増加することになる。しかも重心Ｃが打撃中心
Ｐに近づく結果、重心Ｃに働く運動エネルギーはスイートスポットにより影響を与えやすく、スイートスポットにおいてボールに付与される運動エネルギーは確実に増加することが力学的に証明される。
【００２２】
他方、胴部Ｂはスロート部Ｔを介してグリップ部Ｇに至り、グリップエンドＥにかけて断面非円形の、例えば楕円形で、長手方向に延びる中心軸線に対して外側のグリップ表面にはフレアー傾斜角度αが形成される。この非円形断面のフレアー部Ｆは右打者の左手グリップを図３Ｃのように小指側から親指側に傾斜させる結果、左手手首を右回りに押圧してロックし、バットスウィング時の左手甲の返りを抑制するとともに、インパクト時の左手肘の屈曲を抑制する。これが「バットをグリップをぶつけるように振る」という動作を誘導し、バットのスウィングの角速度を向上させる結果を招来させる。フレアー部Ｆの中心線に対する傾斜角度αをバットヘッドの増加重量Ｍに応じてα増加させるのが好ましい。なぜなら、重心がバット先端に移動するほど、バットスウィングにおける左手甲が返りやすくなる慣性力が働くからである。
【００２３】
このように、右打者の左手甲を返すことなく体の回転に伴ってバットスウィングを行い、左手肘をしっかりと伸ばしてインパクトすると、「バットをグリップをぶつけるように振る」という動作が実現でき、スウィングにおける打者のもつ最大の角速度を得ることができる。また、従来では、インコースを打つために早い段階でスウィングを開始し、投手寄りでボールを打ち、アウトコースを打つためにスウィング始動を遅らせボールを呼び込んで打つことが提言されるがバッティング始動タイミングが同じでないので難しい。本発明の構造のバットを用いると、「バットをグリップをぶつけるように振る」という動作が実現できる結果、インパクトポイントを内角、真ん中、外角のいずれにおいても一列にして（図１３Ｃ参照）スウィングをシンプルにすることができる。
【００２４】
上記バットのグリップ部は、グリップエンドからグリップ中心に向けて楕円形から円形に徐々に変形するようになっており、楕円形の場合、上部周縁はフレアー傾斜部を形成しているが、グリップエンドの上部周縁から下部にかけては平坦となっているため、ボトムハンドの小指側はエンドが盛り上がっていないので滑りやすい。そこで、好ましい実施形態２においては好ましい実施形態で示す種々のグリップ構造を採用するのがよい。
【００２５】
以上、説明したように本考案によれば、有鉤骨のある掌に当接するノブがなくてもシンプルなグリップ構造で、グリップのスリップアウトを防止することができるので、スウィング中の有鉤骨の損傷を防止することができる。
【図１】
0003228402.tif 000003
【図２】
0003228402.tif 000004
【図３Ａ】
0003228402.tif 000005
【図３Ｂ】
0003228402.tif 000006
【図４】
0003228402.tif 000007
【図５】
0003228402.tif 000008
【図６】
0003228402.tif 000009
【図７】
0003228402.tif 000010
【図８】
0003228402.tif 000011
【図９】
0003228402.tif 000012
【図１０】
0003228402.tif 000013
【図１１】
0003228402.tif 000014
【図１２】
0003228402.tif 000015
【図１３Ａ】
0003228402.tif 000016
【図１３Ｂ】
0003228402.tif 000017
【図１３Ｃ】
0003228402.tif 000018
【図１４】
0003228402.tif 000019
【図１５】
0003228402.tif 000020
【図１６】
0003228402.tif 000021
【手続補正書】
【提出日】令和2年3月23日(2020.3.23)
【手続補正１】
【補正対象書類名】実用新案登録請求の範囲
【補正対象項目名】全文
【補正方法】変更
【補正の内容】
【実用新案登録請求の範囲】
【請求項１】
バットヘッドＨと、バット胴部Ｂと、バットスロート部Ｔと、バットグリップ部Ｂと、グリップエンドＥを備える野球バットにおいて、グリップエンドＥが、バット長手方向に延びる中心軸線に直交する面に対し２０〜３０度に傾斜する端面を有し、グリップエンドＥ端面に平行して形成されるノブが、図５に例示するように、少なくともボトムハンドの小指の先端から第２関節部に至る部分においてバットグリップ部Ｂとの境界においてグリップ部断面より大きな断面積を形成するように立ち上がり、ボトムハンドの小指側が当接する段部を有する一方、バット長手方向に延びる中心軸線に対して小指先端側とは点対称な小指第３関節部下方の掌部分においてバットグリップ部ＢからグリップエンドＥに前記掌部分を圧接するノブを実質的に形成しないように、緩やかに立ち上がる傾斜又はフレアーに変化することを特徴とするバットグリップ構造。
【請求項２】
前記グリップエンドEの端面に平行して形成される膨出ノブが図６に例示されるように、プレーヤーのボトムハンドの小指の先端から第２関節部に至る部分及び小指第２関節部から第３関節部においてグリップ部Bとの境界においてグリップ部断面より大きな断面積を有するように立ち上がり、小指の先端から第２関節部に至る部分及び小指第２関節部から第３関節部が当接する一方、バット長手方向に延びる中心軸線に対して小指先端側とは点対称な小指第３関節部下方の掌部分においてバットグリップ部BからグリップエンドEに前記掌部分を圧接するノブを実質的に形成しないように、緩やかに立ち上がる傾斜又はフレアーに変化する請求項１記載のバットグリップ構造。
【請求項３】
バットグリップ部Ｂにバット長手方向に延びる中心軸線に直交する断面が非円形縦長楕円形から円形に移行する請求項１または２記載のバットグリップ構造。
【手続補正書】
【提出日】令和2年7月14日(2020.7.14)
【手続補正１】
【補正対象書類名】実用新案登録請求の範囲
【補正対象項目名】全文
【補正方法】変更
【補正の内容】
【実用新案登録請求の範囲】
【請求項１】
バットヘッドＨと、バット胴部Ｂと、バットスロート部Ｔと、バットグリップ部Ｂと、グリップエンドＥを備える野球バットにおいて、グリップエンドＥが、バット長手方向に延びる中心軸線に直交する面に対し２０〜３０度に傾斜する端面を有し、グリップエンドＥ端面に平行して形成されるノブが、少なくともボトムハンドの小指の先端から第２関節部に至る部分においてバットグリップ部Ｂとの境界においてグリップ部断面より大きな断面積を形成するように立ち上がり、ボトムハンドの小指側が当接する段部を有する一方、バット長手方向に延びる中心軸線に対して小指先端側とは点対称な小指第３関節部下方の掌部分においてバットグリップ部ＢからグリップエンドＥに前記掌部分を圧接するノブを実質的に形成しないように、緩やかに立ち上がる傾斜又はフレアーに変化することを特徴とするバットグリップ。
【請求項２】
前記グリップエンドEの端面に平行して形成される膨出ノブがプレーヤーのボトムハンドの小指の先端から第２関節部に至る部分及び小指第２関節部から第３関節部においてグリップ部Bとの境界においてグリップ部断面より大きな断面積を
有するように立ち上がり、小指の先端から第２関節部に至る部分及び小指第２関節部から第３関節部が当接する一方、バット長手方向に延びる中心軸線に対して小指先端側とは点対称な小指第３関節部下方の掌部分においてバットグリップ部BからグリップエンドEに前記掌部分を圧接するノブを実質的に形成しないように、緩やかに立ち上がる傾斜又はフレアーに変化する請求項１記載のバットグリップ。
【請求項３】
バットグリップ部Ｂはバット長手方向に延びる中心軸線に直交する断面が非円形縦長楕円形から円形に移行する請求項１または２記載のバットグリップ。